(57)【要約】【課題】  リード材４，５，６を一体成形した樹脂製外装ケース２に電子回路を含む検出部１を搭載した電子装置は、静電対策を目的とした電子部品７，８を搭載する必要が生じていた。本発明では、外装ケース２成形時における樹脂流れ方向と電子部品７，８の搭載方向を管理することで、各材料間の線膨張係数差から発生する熱応力を緩和し、接続部材１１に発生するクラックの進行を抑制する信頼性の高い電子装置を提供することにある。【解決手段】  外装ケース２成形時における樹脂流れ方向を管理し、電子部品７，８の長手方向を線膨張係数が小さくなる樹脂流れ方向に沿って配置することで、各材料間の線膨張係数差から発生する熱応力を緩和し、接続部材１１に発生するクラックの進行を抑制し、信頼性を向上させることができる。【選択図】図１
2005326322.tif 000002
【特許請求の範囲】
【請求項１】
一方が外部との電気的接続用コネクタ端子となるリード材と、前記リード材と一体成形した外装ケースの内部に電気信号出力を有する電子回路が接続され、更に電気的外乱を低減する電子部品が前記リード材と電気的に接続されていることを特徴とする電子装置。
【請求項２】
請求項１の電子装置において、外装ケースを熱可塑性樹脂を用いて成形し、樹脂内の繊維方向が外装ケースの長手方向に沿って配向されるようゲートを外装ケース長手方向の片側端部付近に配置したことを特徴とする電子装置。
【請求項３】
請求項２の電子装置において、前記電子部品の長手方向を前記外装ケースの長手方向に配置したことを特徴とする電子装置。
【請求項４】
請求項１の電子装置において、外装ケースを熱可塑性樹脂を用いて成形し、前記電子部品の長手方向を前記外装ケースの樹脂繊維方向に沿って配置したことを特徴とする電子装置。
【請求項５】
請求項１の電子装置において、外装ケースを熱可塑性樹脂を用いて成形し、前記電子部品の長手方向を前記外装ケース成形時の樹脂流れ方向に沿って配置したことを特徴とする電子装置。
【発明の詳細な説明】
【技術分野】
【０００１】
本発明は、圧力検出装置の他、空気流量検出装置，回転信号検出装置，角度検出装置，点火装置等の電子装置全般に係り、くわしくは、リード材と一体成形された外装ケースに出力信号を有する電子回路と、電気的外乱を低減する電子部品とを実装する構造に関するものである。
【背景技術】
【０００２】
従来の技術は、特許文献１に記載のように、並行して配置したリード材間に電子部品を直接接続した結果、外装ケース成形時の樹脂繊維方向に対し電子部品の長手方向が直交する配置となっていた。
【０００３】
【特許文献１】特願２００１−３５１５３９号公報
【発明の開示】
【発明が解決しようとする課題】
【０００４】
上記従来技術は、外装ケースの材料にＰＰＳ及びＰＢＴから成る熱可塑性樹脂を用いている。前記熱可塑性樹脂は、強度を上げるために一般的にガラス繊維等の補強材が混合されており、繊維の方向によって線膨張係数が異なる。従って、従来技術は樹脂の繊維方向によって線膨張係数が異なることに対する考慮まではなされておらず、前記外装ケースに電子部品を搭載する際、樹脂の繊維方向に対し線膨張係数が大きくなる直行方向に配置されており、線膨張係数の差から発生する熱応力によって電子部品の接続部材の一手段であるはんだにクラックが発生して断線する問題があった。
【０００５】
本発明の目的は、外装ケースと電子部品間の線膨張係数差から発生する熱応力を軽減する部品配置とすることで、実装した電子部品の接続部に発生するクラックに対する信頼性を向上させることにある。
【課題を解決するための手段】
【０００６】
（１）上記目的を達成するために、外装ケース成形時、樹脂内の繊維方向が外装ケースの長手方向に沿って配向されるようゲートを外装ケース長手方向の片側端部付近に配置し、電子部品の長手方向を前記外装ケースの長手方向に沿って配置したものである。
（２）上記目的を達成するために、電子部品の長手方向を前記外装ケースの樹脂繊維方向に沿って配置したものである。
（３）上記目的を達成するために、電子部品の長手方向を前記外装ケース成形時の樹脂流れ方向に沿って配置したものである。
【発明の効果】
【０００７】
本発明によれば、樹脂製外装ケース成形時の樹脂流れ方向を制御し、電子部品の長手方向を線膨張係数が小さくなる樹脂流れ方向に沿って配置することで、各材料間の線膨張係数差を小さくすることが可能となり、接続部における熱応力を緩和する効果が期待できる。
【発明を実施するための最良の形態】
【０００８】
以下、図１，図２を用いて、本発明の一実施形態，構成について説明する。
【０００９】
図１は圧力検出装置の上面図である。図２は、圧力検出装置の縦断面図である。
【００１０】
検出部１は、内部詳細については省略するが、内蔵したシリコンにダイアフラムと電子回路を形成することで圧力を電気信号出力に変換する機能を有し、少なくともグランド，電源，信号出力からなる検出部端子３にて外部との接続を得る構造としている。
【００１１】
外装ケース２は、ＰＢＴまたはＰＰＳ等の樹脂材と金属製のリード材（グランド）４，リード材（出力信号）５，リード材（電源）６で構成され、前記検出部１及び電子部品７，８を実装するため開口しており、外側をコネクタの形状として外部に入出力を接続する構造としている。更に幅に対し長さが長い形状とし、成形時の樹脂流れ方向を長手方向に制御するため、ゲート９を長手方向の片側端部に配置している。
【００１２】
前記外装ケース２の開口部に前記検出部１を搭載し、検出部端子３とリード材４，５，６間を溶接によって接続し、更にリード材（グランド）４からＴ字状に配置した一端とリード材（出力信号）５，リード材（電源）６間に、電子部品７，８をはんだ又は導電性ペーストからなる接続部材１１を用いて接続を確保させた後、外装ケース２の開口部にエポキシ樹脂から成る封止材１０を隙間無く注入硬化させて圧力検出装置が完成される。
【００１３】
図３〜図８において本発明の特徴を説明する。
【００１４】
図１，図３，図５，図７，図８においては、構造を説明する目的から、封止材１０を省略して記載している。
【００１５】
図３は、図１中Ａ部の拡大図である。図４は、図３中Ｂ−Ｂ部の断面図である。
【００１６】
リード材（グランド）４をＴ字状とし、その一端をリード材（出力信号）５，リード材（電源）６側に配置している。リード材（出力信号）５，リード材（電源）６は、側面の一部を曲げることでリード材（グランド）４との接触を避けながら、コネクタとなる外部への接続を確保する構造としている。電子部品７，８の長手方向を線膨張係数の小さい外装ケース２の長手方向に配置することで、線膨張係数の差から発生する熱応力を軽減し、接続部材１１に発生するクラックの進行を緩和する効果が期待できる。
【００１７】
例えば、本発明の外装ケース２に用いた樹脂材の線膨張係数は、流れ方向で１３×10-6（／℃）直行方向で３７×１０-6（／℃）と約３倍の差があり、線膨張係数８×１０-6
（／℃）の電子部品７，８の搭載方向を流れ方向に沿って搭載することにより、従来技術の直行方向に搭載したものに対し、接続部の耐久寿命が約１.５ 倍の延命効果が図れた。
【００１８】
図５，図６は、図３，図４に対し、リード材（出力信号）５，リード材（電源）６を曲げて、リード材（グランド）４の下部を潜らせ接触を避けた例であり、図３，図４と同様な効果が期待できる。
【００１９】
図７は、外装ケース２を成形する場合のゲート９の位置を、圧力検出装置を固定するためのフランジ１２付け根付近に設置した例である。この場合でも、ゲート９は外装ケース２の長手方向の端面に近い位置にあるため、電子部品７，８を実装する範囲での樹脂流れ方向は外装ケース２の長手方向となり、図１と同様の効果が期待できる。
【００２０】
図８は、外装ケース２を成形する場合のゲート９の位置を、圧力検出装置を固定するためのフランジ１２先端付近に設置した例である。この場合でも、ゲート９は外装ケース２の長手方向の中央に対し、端面寄りであるため、電子部品７，８を実装する範囲での樹脂流れ方向は外装ケース２の長手方向となり、図１，図７と同様の効果が期待できる。
【図面の簡単な説明】
【００２１】
【図１】本発明の一実施例である圧力検出装置の上面図である。
【図２】本発明の一実施例である圧力検出装置の縦断面図である。
【図３】本発明の一実施例である圧力検出装置の電子部品実装部拡大図である。
【図４】本発明の一実施例である圧力検出装置の電子部品実装部拡大断面図である。
【図５】本発明の一実施例である圧力検出装置の電子部品実装部拡大図である。
【図６】本発明の一実施例である圧力検出装置の電子部品実装部拡大断面図である。
【図７】本発明の一実施例である圧力検出装置の上面図である。
【図８】本発明の一実施例である圧力検出装置の上面図である。
【符号の説明】
【００２２】
１…検出部、２…外装ケース、３…検出部端子、４…リード材（グランド）、５…リード材（出力信号）、６…リード材（電源）、７…電子部品（ａ）、８…電子部品（ｂ）、９…ゲート、１０…封止材、１１…接続部材、１２…フランジ。
【図１】
2005326322.tif 000003
【図２】
2005326322.tif 000004
【図３】
2005326322.tif 000005
【図４】
2005326322.tif 000006
【図５】
2005326322.tif 000007
【図６】
2005326322.tif 000008
【図７】
2005326322.tif 000009
【図８】
2005326322.tif 000010